(57)【特許請求の範囲】
【請求項１】
ドラムに付設された少なくとも１つの駆動装置（８）によって、切断すべきストリップ（９）の速度に対応する周速度に加速可能である、互いに向かい合っているドラム（２，３）に設けられた切断工具（６，７）を備え、また揺動アーム（４）に支承された１つのドラムに付設された、単独で駆動可能な調節装置を備えるフライングシャー（１）において、
１つのドラム（３）が揺動アーム（４）に支承されていること、調節装置が、切断運動を行う駆動装置（１２，１３）と、これらの駆動装置と揺動アーム（４）との間に設けられた支持要素（１０）とからなること、そして支持要素（１０）が切断を行う動作位置で短縮可能であることを特徴とするフライングシャー。
【請求項２】
支持要素（１０）の動作長さが固定可能であることを特徴とする請求項１に記載のフライングシャー。
【請求項３】
駆動装置がクランク（１２）として形成されていることを特徴とする請求項１又は２に記載のフライングシャー。
【請求項４】
駆動装置がピストンシリンダユニット（１６）として形成されていることを特徴とする請求項１又は２に記載のフライングシャー。
【請求項５】
駆動装置（８）と駆動装置（１２，１３）との間で同期（１４，１４’）が行われていることを特徴とする請求項１〜４のいずれか１つに記載のフライングシャー。
【請求項６】
切断工具（６，７）が、１つのドラム（２）に設けられたビット（６）として、また第２のドラム（３）に設けられたアンビル（７）として作用する外郭領域として形成されていることを特徴とする請求項１〜５のいずれか１つに記載のフライングシャー。
【請求項７】
支持要素（１０）が、駆動装置（１２，１３）の作動ストローク開始前に、支持要素の動作位置に移動可能であることを特徴とする請求項１〜６のいずれか１つに記載のフライングシャー。
【請求項８】
ドラムに付設された少なくとも１つの駆動装置（８’）によって、切断すべきストリップ（９’）の速度に対応する周速度に加速可能である、互いに向かい合っているドラム（２’，３’）に設けられた切断工具（６’，７’）を備え、また１つのドラム（２’）に付設された、単独で駆動可能な調節装置を備えるフライングシャー（１’）において、
１つのドラム（３’）が揺動アーム（４’）に支承されていること、揺動アーム（４’）が支持要素（１０’）を介して支持されていること、支持要素（１０’）が切断を行う動作位置で短縮可能であること、調節装置が、第２のドラム（２’）と結合されているクランク（１２’）を有すること、そしてこの第２のドラムが第１のドラム（３’）に向かって軸並行に変位することによって切断を実施可能であることを特徴とするフライングシャー。
【請求項９】
支持要素（１０’）の動作長さが固定可能であることを特徴とする請求項８に記載のフライングシャー。
【請求項１０】
駆動装置（８’）とクランク（１２’）との間で同期が行われていることを特徴とする請求項８又は９に記載のフライングシャー。
【請求項１１】
切断工具（６’，７’）が、１つのドラム（２’）に設けられたビット（６’）として、また第２のドラム（３’）に設けられたアンビル（７’）として作用する外郭領域として形成されていることを特徴とする請求項８〜１０のいずれか１つに記載のフライングシャー。
【請求項１２】
支持要素（１０’）が、クランク（１２’）の作動ストローク開始前に、動作位置に移動可能であることを特徴とする請求項８〜１１のいずれか１つに記載のフライングシャー。
【請求項１３】
フライングシャー（１，１’）の第２のドラム（３）が、アンビルとして作用するコイラ（２１）の形態で形成されていることを特徴とする請求項１〜１２のいずれか１つに記載のフライングシャー。
【発明の詳細な説明】
【０００１】
本発明は、ドラムに付設された少なくとも１つの駆動装置によって、切断すべきストリップの速度に対応する周速度に加速可能である、互いに向かい合っているドラムに設けられた切断工具を備え、また１つのドラムに付設された、単独で駆動可能な調節装置を備えるフライングシャーに関する。
【０００２】
同様のシャーが、ドイツ連邦共和国公開特許公報第２１  ３８  ４７８号によって公知である。しかしながらこのシャーは、高速度の線材を切断するために設定されている。ストリップを切断するために、ドイツ連邦共和国公開特許公報第４１  ２８  ９７０号は、ミルハウジングにおいて設けられたドラムのための線状案内機構を開示している。ここでは、相応して正確な切断を行うことができるように、非常に正確な同期をドラム駆動装置と調節駆動装置との間で必要とするナイフが使用される。この非常に正確な同期のために、このようなシャーは比較的速度が遅くなる。
【０００３】
本発明の基本をなす課題は、３０ｍ／秒までのストリップ速度において、及び最小のストリップ厚においても良好な切断結果が保証されるように、熱間ストリップを切断するためのフライングシャーを発展させることにある。
【０００４】
この課題を解決するために、１つのドラムが揺動アームに支承されていること、調節装置が、切断運動を行う駆動装置と、これらの駆動装置と揺動アームとの間に設けられた支持要素とからなること、そして支持要素が切断を行う動作位置で短縮可能であることが提案される。更に別の解決提案は、１つのドラムが揺動アームに支承されていること、揺動アームが支持要素を介して支持されていること、支持要素が切断を行う動作位置で短縮可能であること、調節装置が、第２のドラムと結合されているクランクを有すること、そしてこの第２のドラムが第１のドラムに向かって軸並行に変位することによって切断を実施可能であることにある。
【０００５】
シャーのこの構造によって、ドラムは、常時、切断すべきストリップの速度に対応する周速度、もしくはこれに対してごく僅かに下げた周速度で、運転することができる。この際、切断工具は、常時、切断に至ることなく、切断運動を行うことができる。先ず、切断が行わなければならない場合には、支持要素が動作位置に移動される。そして、切断工具の次の切断運動が切断を行う。
【０００６】
ドラムだけを常時相応の周速度のままに留めることや、調節装置を切断のためだけに駆動することも可能である。
【０００７】
またもちろん交互に、ドラムのための駆動装置も、切断が行われるべきでない時間の間停止させることができる。しかしながらこれらのドラムを切断へと加速するためには、あたかもドラムを常時相応の周速度で回転させるかのように、著しく大きなモータ出力が必要とされる。
【０００８】
支持要素の動作長さが固定可能であることは有利である。これにより、ドラム間の弾性を最小に制限することが得られ、従ってできるだけ正確な切断を行うことができる。支持要素の相応の寸法設定の際には、力の伝達を直接この支持要素によって、即ち相応の固定をすることなく、行うことができる。
【０００９】
切断工具としてビット及びアンビルを使用することによって、切断ナイフにおいて必要とされるような、非常に正確な同期は必要ない。それにもかかわらず、同期が駆動装置と駆動装置もしくはクランクとの間で備えられており、その際しかしながら僅かな滑りを、比較的大きな外郭領域がアンビルとして作用するという事実によって均一化することができる。
【００１０】
支持要素は、駆動装置もしくはクランクの作動ストローク開始前に、支持要素の動作位置に移動することが望ましい。これにより、切断の間支持要素が既に動作位置にあり、切断の間の支持要素の変位によって不均等が発生し得ない。
【００１１】
ここで切断すべき非常に薄い熱間ストリップにおいては、ストリップ先端部が切断の後で非常に重くなることが示されている。従って切断装置を、相応のコイラへ集約すること、もしくは最小の間隔をおいてコイラの前方に設けることは、大きな意義がある。
【００１２】
本発明を図面に基づいて更に詳細に説明する。
【００１３】
図１は、ドラム２及びドラム３を有するシャー１を示す。ドラム３は揺動アーム４によって担持される。揺動アーム４のアームは揺動点５の周りを揺動可能に支承されている。ドラム２はビット６を有し、一方ドラム３はアンビル７を備えている。ドラム２及び３は、駆動装置８によって、移動するストリップ９の速度に対応する周速度で回転駆動される。この際機械的もしくは電気的又は電子的な同期が、駆動装置８間で、またこれによりドラム２と３との間で行われている。揺動アーム４の第２の端部に、支持要素１０が設けられており、この支持要素は、その長さが調節可能であり、主としてピストンシリンダユニット１１からなる。支持要素１０は、駆動装置１３によって作用されるクランク１２に枢着されている。
【００１４】
シャー１の機能は以下のようである。ドラム２及び３は駆動装置８によって常時相応の周速度に維持されるか、もしくは切断の前に必要な周速度にされる。クランク１２は同様に常時駆動されるか、もしくは切断の前に相応の周速度にされる。この際ドラム２とクランク１２との間の周速度の比は、例えば１：８に調節される。ドラム２とクランク１２との間の可能な同期は、線１４もしくは線１４’で示されている。クランク１２の回転運動によって、ドラム３が矢印１５に沿って常時往復運動させられる。この調節運動が切断のために行わなければならない場合には、ピストンシリンダユニット１１が、クランクが下死点に到達する前に、短縮され、また場合によっては固定される。これにより、ドラム３はドラム２に対して著しく減少させられた間隔で揺動される。そしてクランク１２の下死点に次に到達した際に相応の切断が行われる。クランク１２とドラム２との間の同期によって、クランク１２が下死点に存在する際には、ビット６がアンビル７に向かい合っており、従ってストリップ９を切断することができる。
【００１５】
図２は、クランク１２、駆動装置１３及び支持要素１０からなる調節駆動装置の代わりに、ピストンシリンダユニット１６を使用することができることを示し、その際このピストンシリンダユニットは個別に作用可能な２つのピストンを有する。上方のピストンはピストンシリンダユニット１１のピストンに相当し、一方下方のピストンはクランク１２及び駆動装置１３を置き換えている。
【００１６】
図３は、ドラム２’及び３’からなるシャー１’を示し、その際ドラム３’は揺動アーム４’に保持されている。ドラム２’はクランク１２’を介して偏心して支承されている。固定装置１７を介して、揺動アーム４’はピストンシリンダユニット１１’のピストンの下方位置において固定することができる。シャー１’の機能は以下のようである。ドラム２’及び３’はモータ８’によって常時駆動されるか、もしくは切断の前に相応の周速度に加速される。同様のことが、駆動装置１３’によって作用されているクランク１２’に対して有効である。これによりドラム２’は、駆動装置８’によって行われる円運動以外に、クランク１２’によって行われる重複された往復運動を行う。ストリップ９’を切断しなければならない場合には、ピストンシリンダユニット１１’が、ビット６’が図面におけるその上方の点に到達させられる前に、入り込み、そして固定装置１７によって固定される。これによりドラム２’と３’との間の間隔は、上死点に次に到達した際にビット６’によってストリップ９’が切断されるように強固に固定される。
【００１７】
図４は揺動コイラ１８を示し、その際ストリップ９は転向ローラ１９を介してコイラ２０へ案内される。コイラ２０は所定の巻数を有し、ストリップ９を切断すべき場合には、ドラム２’’がコイラ２１に対して揺動され、その際揺動運動を、図１もしくは図３で行われるように行うことができる。コイラ２１は相応のアンビルとして作用する。切断が行われた後、ストリップ９を直ちにコイラ２１に巻き上げることができる。
【図面の簡単な説明】
【図１】  本発明によるシャーを概略図に示す。
【図２】  図１に対し、調節駆動装置のための更に別の解決を示す。
【図３】  更に別の本発明によるシャーの概略図を示す。
【図４】  コイラへ集約された本発明によるシャーを示す。
【符号の説明】
１          シャー
２          ドラム
３          ドラム
４          揺動アーム
５          揺動点
６          ビット
７          アンビル
８          駆動装置
９          ストリップ
１０          支持要素
１１          ピストンシリンダユニット
１２          クランク
１３          駆動装置
１４          線
１５          矢印
１６          ピストンシリンダユニット
１７          固定装置
１８          揺動コイラ
１９          転向コイラ
２０          コイラ
２１          コイラ
【図１】
0004318131.tif 000002
【図２】
0004318131.tif 000003
【図３】
0004318131.tif 000004
【図４】
0004318131.tif 000005